(57)【要約】【課題】函体設置部の上方に架構による函体吊下し設備を設けるオープンシールド機において、オープンシールド機のピッチング、ローリングに対してジャッキを用いることなく架構の傾き修正を簡単、かつ確実に行うことができるオープンシールド機を提供する。【解決手段】函体設置部の上方に架構による函体吊下し設備を設けるオープンシールド機１において、架構を形成する支柱１５の下端はオープンシールド機１にボルト止めするが、架構の支柱１５の下端とオープンシールド機１との間に先端に向かい暫時薄くなるテーパー板の斜角調整材３１を横から差し込み配置できるようにした。【選択図】  図１
2017071891.tif 000002
【特許請求の範囲】
【請求項１】
函体設置部の上方に架構による函体吊下し設備を設けるオープンシールド機において、架構を形成する支柱下端はオープンシールド機にボルト止めするが、架構の支柱下端とオープンシールド機との間に先端に向かい暫時薄くなるテーパー板の斜角調整材を横から差し込み配置できようにしたことを特徴とするオープンシールド機。
【請求項２】
斜角調整材は端部に開口する切欠きスリットをボルト挿通孔として形成した請求項１記載のオープンシールド機。
【請求項３】
斜角調整材は先端薄い方の端縁にずれ止め用の拡径凸部を設ける請求項１または請求項２記載のオープンシールド機。
【請求項４】
支柱下端とオープンシールド機をボルト止めするボルト・ナットには斜角調整材と逆向きのテーパーの斜角調整ワッシャーを介在させる請求項１ないし請求項３のいずれかに記載のオープンシールド機。
【請求項５】
オープンシールド機には設置用のフランジを設け、一方、支柱の下端には接合用のフランジを設けて、これらフランジ相互に添わせて勾配調整用のボルトを設けた請求項１ないし請求項３のいずれかに記載のオープンシールド機。
【発明の詳細な説明】
【技術分野】
【０００１】
本発明は、函体設置部の上方に門型架構による函体吊下し設備を設けるオープンシールド機に関するものである。
【背景技術】
【０００２】
発明者は先に、函体の吊り下ろしをスペースを取ることなく、簡単かつ迅速に行うことができるオープンシールド機について特許を取得した。
【特許文献１】特許第３１９４１９０号公報
【０００３】
図８、図９に示すように、オープンシールド機１は左右の側壁板１ａ，１ａとこれら側壁板１ａ，１ａと同程度の長さでその間を連結する底板１ｂとからなる前面、後面及び上面を開口したシールド機で、機体の前後方向で隔壁４で仕切り、前部を主として掘削を行う掘削部２、後部をコンクリート函体吊降ろして設置する函体設置部３とし、函体設置部３はその前側に後方へ向けてシールドジャッキ５を左右によせて、また上下複数段に配設した。
【０００４】
オープンシールド機１の前記函体設置部３の上方に支柱１５と梁材１６からなる架構１７にチェーンブロック等の巻上機１８を前後動および左右動自在に設けてなるコンクリート函体吊降ろし用の門型クレーン１９を立設した。
【０００５】
巻上機１８の前後動および左右動の機構としては種々考えられるが、巻上機１８が自走車輪等で移動するレール部材２０を架構１７上にオープンシールド機１の幅方向に掛け渡し、このレール部材２０を架構１７上のオープンシールド機１の前後方向に設けた梁材１６をレールとして自走車輪等で移動できるようにする。
【０００６】
また、前記梁材１６は前方および後方に延設してオープンシールド機１の前方に吊り上げ部２５を突設し、また、後方にコンクリート函体吊り上げ部２１を突設するようにした。これら吊り上げ部２５およびコンクリート函体吊り上げ部２１は巻上機１８が前後方向に移動できる部分である。図中２４はコンクリート函体８の吊り治具である。
【０００７】
支柱１５は４本であるが、その各々はオープンシールド機１からジャッキ２２を介在して傾斜修正可能に立上げるようにする。
【０００８】
このようにして掘削機７で掘削部２の前面又は上面から土砂を掘削しかつ排土してオープンシールド機１が前進するときは門型クレーン１９もともに移動する。
【０００９】
そして吊り降ろし用のコンクリート函体８は縦列の並ぶ既設のコンクリート函体８の上面を搬入路として台車２３等でコンクリート函体吊り上げ部２１に下まで運び込み、そのまま巻上機１８で吊り込んでオープンシールド機１の後部の函体設置部３の上方まで移動させ、該函体設置部３内に吊り降す。
【００１０】
また、掘削時での使用も可能であり、オープンシールド機１の前方に突設した吊り上げ部２５まで巻上機１８を移動させ、この巻上機１８にバケット等（図示せず）を吊り下げて、掘削部２に近付けてバックホー等の掘削機で掘削した土砂をバケット等に受け、そのまま後方に移動させ、ダンプ等に積み替えることなどができる。
【００１１】
なお、オープンシールド機１によるオープンシールド機１を使用するオープンシールド工法は、その一例を図１０〜図１３について説明すると、発進坑６と到達坑１３との間で施工される。発進坑６内で前記オープンシールド機１を組立て、発進坑６の前の地盤を地上に設置したバックホー等のシャベル系の掘削機７で掘削部２の前方または内部を掘削し、該オープンシールド機１のシールドジャッキ５を伸長して発進坑６内の反力壁９に反力をとってオープンシールド機１を前進させ、地下構造物を形成する第１番目のコンクリート函体８を上方から函体設置部３内に吊り降す。なお、図示は省略するが、反力壁９とシールドジャッキ５との間の間隔が大きい場合にはストラット１０を配設する。
【００１２】
また、発進坑６はシートパイル等の矢板による土留壁で構成し、オープンシールド機１を発進させるにはこの土留壁を一部鏡切りするが、必要に応じて薬液注入等で発進坑６の前方部分に地盤改良１１を施しておくこともある。
【００１３】
次いで、同様に掘削機７で掘削部２の前面又は上面から土砂を掘削しかつ排土してオープンシールド機１を前進させ、前記第１番目のコンクリート函体８の前に第２番目のコンクリート函体８を函体設置部３内に吊り降す。以下、同様の掘進及びコンクリート函体８のセット工程を繰返して、順次コンクリート函体８を縦列に地中に埋設し、後方のコンクリート函体８上にダンプで埋戻し１４を施し、オープンシールド機１が到達坑まで達したならばこれを分解・撤去して工事を完了する。
【００１４】
前記オープンシールド機１は、左右側壁板と底板からなる機体を前後方向でフロント部とテール部に分割し、フロント部の後端にテール部の前端を嵌入させ、フロント部に後方へ向けて中折ジャッキを設けてフロント部とテール部が相互の嵌合部で屈曲可能として中折れ部を形成し、テール部後半を函体設置部とし、函体設置部の前側に後方へ向けてシールドジャッキを左右に寄せて、また、上下複数段に配設したものでもよい。
【発明の開示】
【発明が解決しようとする課題】
【００１５】
オープンシールド機１は方向およびピッチング、ローリングに対して修正しながら進行するが、このようなコンクリート函体８の吊り降ろしを行う時にオープンシールド機１が傾いている場合には門型クレーン１９も傾いているが、前記特許文献１では４個のジャッキ２２を適宜伸縮して傾斜計を見ながら門型クレーン１９が水平になるようにしてから作業を行う。
【００１６】
このようにオープンシールド機１のピッチング、ローリングに対して門型クレーン１９の傾きを対処するのに４個のジャッキ２２を適宜伸縮して傾斜計を見ながら門型クレーン１９が水平になるようにしているが、その修正はかなり困難を伴うものであった。
【００１７】
本発明の目的は前記従来例の不都合を解消し、函体設置部の上方に架構による函体吊下し設備を設けるオープンシールド機において、オープンシールド機のピッチング、ローリングに対してジャッキを用いることなく架構の傾き修正を簡単・かつ確実に行うことができるオープンシールド機を提供することにある。
【課題を解決するための手段】
【００１８】
前記目的を達成するため請求項１記載の本発明は、函体設置部の上方に架構による函体吊下し設備を設けるオープンシールド機において、架構を形成する支柱下端はオープンシールド機にボルト止めするが、架構の支柱下端とオープンシールド機との間に先端に向かい暫時薄くなるテーパー板の斜角調整材を横から差し込み配置できるようにしたことを要旨とするものである。
【００１９】
請求項１記載の本発明によれば、架構を形成する支柱下端はオープンシールド機にボルト止めするもので、簡単に架構をしっかりと設置でき、その時にテーパー板の斜角調整材を横から差し込み配置してオープンシールド機の傾きに対応して支柱を直立させることができる。
【００２０】
請求項２記載の本発明は、斜角調整材は端部に開口する切欠きスリットをボルト挿通孔として形成したことを要旨とするものである。
【００２１】
請求項２記載の本発明によれば、斜角調整材は切欠きスリットによりボルト挿通させながら配設することができ、１枚の板で斜角調整を行うことができる。
【００２２】
請求項３記載の本発明は、斜角調整材は先端薄い方の端縁にずれ止め用の拡径凸部を設けることを要旨とするものである。
【００２３】
請求項３記載の本発明によれば、斜角調整材を間にしてボルトで締めつけた場合に拡径凸部が接合の外に位置して斜角調整材が差し込み方向に逆戻りするようなずれを防止することができる。
【００２４】
請求項４記載の本発明は、支柱下端とオープンシールド機をボルト止めするボルト・ナットには斜角調整材と逆向きのテーパーの斜角調整ワッシャーを介在させることを要旨とするものである。
【００２５】
請求項４記載の本発明によれば、オープンシールド機の傾きが大きくなると支柱下端とオープンシールド機を止めるボルト・ナットも傾きが生じ、ボルトの締め付けが十分にできなくなるおそれがあるが、テーパーの斜角調整ワッシャーを介在させることで締め付けを確保することができる。
【００２６】
請求項５記載の本発明は、オープンシールド機には設置用のフランジを設け、一方、支柱の下端には接合用のフランジを設けて、これらフランジ相互に添わせて勾配調整用のボルトを設けたことを要旨とするものである。
【００２７】
請求項５記載の本発明によれば、オープンシールド機に対して架構を形成する支柱の傾きは勾配調整用のボルトをもってネジジャッキとして簡単に調整することができる。
【発明の効果】
【００２８】
以上述べたように本発明のオープンシールド機は、函体設置部の上方に架構による函体吊下し設備を設けるオープンシールド機において、オープンシールド機１のピッチング、ローリングに対してジャッキを用いることなく架構の傾き修正を簡単・かつ確実に行うことができるものである。
【発明を実施するための形態】
【００２９】
以下、図面について本発明の実施の形態を詳細に説明する。図１は本発明のオープンシールド機の第１実施形態を示す要部の説明図、図２は同上第２実施形態を示す要部の説明図である。
【００３０】
図３に示すようにオープンシールド機１は函体設置部の上方に架構による函体吊下し設備を設けるもので、架構１７は支柱１５と梁材１６とで構成する。
【００３１】
オープンシールド機１には設置用のフランジ２６を設け、一方、支柱１５の下端には接合用のフランジ２７を設けて、これらフランジ２６とフランジ２７とをボルト２９とナット３０で締結する。
【００３２】
図中２８は間隔調整材である。
【００３３】
オープンシールド機１のピッチング、ローリングが起こると図示のようにテーパー状の隙間が生じる。
【００３４】
本発明は構の支柱１５下端とオープンシールド機１との間、すなわちフランジ２６とフランジ２７とに、先端に向かい暫時薄くなるテーパー板の斜角調整材３１を横から差し込み配置できようにした。
【００３５】
図４、図５にこの斜角調整材３１を示すが全体が矩形の板体であり、暫時薄くなるテーパーの向きとは直交する向きに、端部に開口する切欠きスリット３３をボルト挿通孔として形成した。
【００３６】
また、斜角調整材３１は先端薄い方の端縁にずれ止め用の拡径凸部３２を設ける。この拡径凸部３２には極短い鋼棒が利用できる。
【００３７】
図中３４はボルト２９とナット３０にスプリングワッシャー３５とともに介在させる斜角調整ワッシャーであり、前記斜角調整材３１と逆向きのテーパーのものである。
【００３８】
このようにして、フランジ２６とフランジ２７の間に斜角調整材３１を横方から差し入れてボルト２９とナット３０での締結を行う。
【００３９】
斜角調整材３１は図４に示すようにテーパー角の大小により複数あるもので、適宜選択して前記テーパー状の隙間を補完することで、オープンシールド機１が傾いていても支柱１５を直立させることができる。
【００４０】
図１は間隔調整材２８を用いない場合、図２は用いる場合である。
【００４１】
なお、オープンシールド機に設けた設置用のフランジ２６と支柱１５の下端に設けた接合用のフランジ２７とに跨るように勾配調整用のボルト３６を設け、この勾配調整用のボルト３６で支柱１５の傾きを調整できるようにする。
【００４２】
勾配調整用のボルト３６はいわゆるネジジャッキを構成するもので、フランジ２７側に突設する支承板３７に設けたナット３８を貫通し、先端がフランジ２６側に突設する受圧板３９に当接する。
【００４３】
このようにしてナット３８からのボルト３６の突きだし長さを調整することで、フランジ２６とフランジ２７の離間距離（支柱１５の傾き）を調整できる。
【図面の簡単な説明】
【００４４】
【図１】本発明のオープンシールド機の第１実施形態を示す要部の説明図である。
【図２】本発明のオープンシールド機の第２実施形態を示す要部の説明図である。
【図３】オープンシールド機と函体吊下し設備を設ける架構との説明図である。
【図４】斜角調整材の側面図である。
【図５】斜角調整材の平面図である。
【図６】斜角調整ワッシャーの説明図である。
【図７】勾配調整用のボルトを設けたオープンシールド機と函体吊下し設備を設ける架構との説明図である。
【図８】従来例を示す側面図である。
【図９】従来例を示す正面図である。
【図１０】オープンシールド工法の概要を示す第１工程の縦断側面図である。
【図１１】オープンシールド工法の概要を示す第２工程の縦断側面図である。
【図１２】オープンシールド工法の概要を示す第３工程の縦断側面図である。
【図１３】オープンシールド工法の概要を示す第４工程の縦断側面図である。
【符号の説明】
【００４５】
１…オープンシールド機              １ａ…側壁板
１ｂ…底板                          ２…掘削部
３…函体設置部                      ４…隔壁
５…シールドジャッキ                ６…発進坑
７…掘削機                          ８…コンクリート函体
９…反力壁                          １０…ストラット
１１…地盤改良                      １２…トラッククレーン
１３…到達坑                        １４…埋戻し
１５…支柱                          １６…梁材
１７…架構                          １８…巻上機
１９…門型クレーン                  ２０…レール部材
２１…コンクリート函体吊り上げ部
２２…ジャッキ                      ２３…台車
２４…吊り治具                      ２５…吊り上げ部
２６…フランジ                      ２７…フランジ
２８…間隔調整材                    ２９…ボルト
３０…ナット                        ３１…斜角調整材
３２…拡径凸部                      ３３…切欠きスリット
３４…斜角調整ワッシャー            ３５…スプリングワッシャー
３６…勾配調整用のボルト            ３７…支承板
３８…ナット                        ３９…受圧板
【図１】
2017071891.tif 000003
【図２】
2017071891.tif 000004
【図３】
2017071891.tif 000005
【図４】
2017071891.tif 000006
【図５】
2017071891.tif 000007
【図６】
2017071891.tif 000008
【図７】
2017071891.tif 000009
【図８】
2017071891.tif 000010
【図９】
2017071891.tif 000011
【図１０】
2017071891.tif 000012
【図１１】
2017071891.tif 000013
【図１２】
2017071891.tif 000014
【図１３】
2017071891.tif 000015
【手続補正書】
【提出日】平成28年11月30日(2016.11.30)
【手続補正１】
【補正対象書類名】明細書
【補正対象項目名】全文
【補正方法】変更
【補正の内容】
【発明の詳細な説明】
【技術分野】
【０００１】
本発明は、函体設置部の上方に門型架構による函体吊下し設備を設けるオープンシールド機に関するものである。
【背景技術】
【０００２】
発明者は先に、函体の吊り下ろしをスペースを取ることなく、簡単かつ迅速に行うことができるオープンシールド機について特許を取得した。
【特許文献１】特許第３１９４１９０号公報
【０００３】
図８、図９に示すように、オープンシールド機１は左右の側壁板１ａ，１ａとこれら側壁板１ａ，１ａと同程度の長さでその間を連結する底板１ｂとからなる前面、後面及び上面を開口したシールド機で、機体の前後方向で隔壁４で仕切り、前部を主として掘削を行う掘削部２、後部をコンクリート函体吊降ろして設置する函体設置部３とし、函体設置部３はその前側に後方へ向けてシールドジャッキ５を左右によせて、また上下複数段に配設した。
【０００４】
オープンシールド機１の前記函体設置部３の上方に支柱１５と梁材１６からなる架構１７にチェーンブロック等の巻上機１８を前後動および左右動自在に設けてなるコンクリート函体吊降ろし用の門型クレーン１９を立設した。
【０００５】
巻上機１８の前後動および左右動の機構としては種々考えられるが、巻上機１８が自走車輪等で移動するレール部材２０を架構１７上にオープンシールド機１の幅方向に掛け渡し、このレール部材２０を架構１７上のオープンシールド機１の前後方向に設けた梁材１６をレールとして自走車輪等で移動できるようにする。
【０００６】
また、前記梁材１６は前方および後方に延設してオープンシールド機１の前方に吊り上げ部２５を突設し、また、後方にコンクリート函体吊り上げ部２１を突設するようにした。これら吊り上げ部２５およびコンクリート函体吊り上げ部２１は巻上機１８が前後方向に移動できる部分である。図中２４はコンクリート函体８の吊り治具である。
【０００７】
支柱１５は４本であるが、その各々はオープンシールド機１からジャッキ２２を介在して傾斜修正可能に立上げるようにする。
【０００８】
このようにして掘削機７で掘削部２の前面又は上面から土砂を掘削しかつ排土してオープンシールド機１が前進するときは門型クレーン１９もともに移動する。
【０００９】
そして吊り降ろし用のコンクリート函体８は縦列の並ぶ既設のコンクリート函体８の上面を搬入路として台車２３等でコンクリート函体吊り上げ部２１に下まで運び込み、そのまま巻上機１８で吊り込んでオープンシールド機１の後部の函体設置部３の上方まで移動させ、該函体設置部３内に吊り降す。
【００１０】
また、掘削時での使用も可能であり、オープンシールド機１の前方に突設した吊り上げ部２５まで巻上機１８を移動させ、この巻上機１８にバケット等（図示せず）を吊り下げて、掘削部２に近付けてバックホー等の掘削機で掘削した土砂をバケット等に受け、そのまま後方に移動させ、ダンプ等に積み替えることなどができる。
【００１１】
なお、オープンシールド機１によるオープンシールド機１を使用するオープンシールド工法は、その一例を図１０〜図１３について説明すると、発進坑６と到達坑１３との間で施工される。発進坑６内で前記オープンシールド機１を組立て、発進坑６の前の地盤を地上に設置したバックホー等のシャベル系の掘削機７で掘削部２の前方または内部を掘削し、該オープンシールド機１のシールドジャッキ５を伸長して発進坑６内の反力壁９に反力をとってオープンシールド機１を前進させ、地下構造物を形成する第１番目のコンクリート函体８を上方から函体設置部３内に吊り降す。なお、図示は省略するが、反力壁９とシールドジャッキ５との間の間隔が大きい場合にはストラット１０を配設する。
【００１２】
また、発進坑６はシートパイル等の矢板による土留壁で構成し、オープンシールド機１を発進させるにはこの土留壁を一部鏡切りするが、必要に応じて薬液注入等で発進坑６の前方部分に地盤改良１１を施しておくこともある。
【００１３】
次いで、同様に掘削機７で掘削部２の前面又は上面から土砂を掘削しかつ排土してオープンシールド機１を前進させ、前記第１番目のコンクリート函体８の前に第２番目のコンクリート函体８を函体設置部３内に吊り降す。以下、同様の掘進及びコンクリート函体８のセット工程を繰返して、順次コンクリート函体８を縦列に地中に埋設し、後方のコンクリート函体８上にダンプで埋戻し１４を施し、オープンシールド機１が到達坑まで達したならばこれを分解・撤去して工事を完了する。
【００１４】
前記オープンシールド機１は、左右側壁板と底板からなる機体を前後方向でフロント部とテール部に分割し、フロント部の後端にテール部の前端を嵌入させ、フロント部に後方へ向けて中折ジャッキを設けてフロント部とテール部が相互の嵌合部で屈曲可能として中折れ部を形成し、テール部後半を函体設置部とし、函体設置部の前側に後方へ向けてシールドジャッキを左右に寄せて、また、上下複数段に配設したものでもよい。
【発明の開示】
【発明が解決しようとする課題】
【００１５】
オープンシールド機１は方向およびピッチング、ローリングに対して修正しながら進行するが、このようなコンクリート函体８の吊り降ろしを行う時にオープンシールド機１が傾いている場合には門型クレーン１９も傾いているが、前記特許文献１では４個のジャッキ２２を適宜伸縮して傾斜計を見ながら門型クレーン１９が水平になるようにしてから作業を行う。
【００１６】
このようにオープンシールド機１のピッチング、ローリングに対して門型クレーン１９の傾きを対処するのに４個のジャッキ２２を適宜伸縮して傾斜計を見ながら門型クレーン１９が水平になるようにしているが、その修正はかなり困難を伴うものであった。
【００１７】
本発明の目的は前記従来例の不都合を解消し、函体設置部の上方に架構による函体吊下し設備を設けるオープンシールド機において、オープンシールド機のピッチング、ローリングに対してジャッキを用いることなく架構の傾き修正を簡単・かつ確実に行うことができるオープンシールド機を提供することにある。
【課題を解決するための手段】
【００１８】
前記目的を達成するため請求項１記載の本発明は、函体設置部の上方に架構による函体吊下し設備を設けるオープンシールド機において、架構を形成する支柱下端はオープンシールド機にボルト止めするが、架構の支柱下端とオープンシールド機との間に先端に向かい暫時薄くなるテーパー板の斜角調整材を介在させたことを要旨とするものである。
【００１９】
請求項１記載の本発明によれば、架構を形成する支柱下端はオープンシールド機にボルト止めするもので、簡単に架構をしっかりと設置でき、その時にテーパー板の斜角調整材を横から差し込み配置してオープンシールド機の傾きに対応して支柱を直立させることができる。
【００２０】
請求項２記載の本発明は、斜角調整材は端部に開口する切欠きスリットをボルト挿通孔として形成したことを要旨とするものである。
【００２１】
請求項２記載の本発明によれば、斜角調整材は切欠きスリットによりボルト挿通させながら配設することができ、１枚の板で斜角調整を行うことができる。
【００２２】
請求項３記載の本発明は、斜角調整材は先端薄い方の端縁にずれ止め用の拡径凸部を設けることを要旨とするものである。
【００２３】
請求項３記載の本発明によれば、斜角調整材を間にしてボルトで締めつけた場合に拡径凸部が接合の外に位置して斜角調整材が差し込み方向に逆戻りするようなずれを防止することができる。
【００２４】
請求項４記載の本発明は、支柱下端とオープンシールド機をボルト止めするボルト・ナットには斜角調整材と逆向きのテーパーの斜角調整ワッシャーを介在させることを要旨とするものである。
【００２５】
請求項４記載の本発明によれば、オープンシールド機の傾きが大きくなると支柱下端とオープンシールド機を止めるボルト・ナットも傾きが生じ、ボルトの締め付けが十分にできなくなるおそれがあるが、テーパーの斜角調整ワッシャーを介在させることで締め付けを確保することができる。
【００２６】
請求項５記載の本発明は、オープンシールド機には設置用のフランジを設け、一方、支柱の下端には接合用のフランジを設けて、これらフランジ相互に添わせて勾配調整用のボルトを設けたことを要旨とするものである。
【００２７】
請求項５記載の本発明によれば、オープンシールド機に対して架構を形成する支柱の傾きは勾配調整用のボルトをもってネジジャッキとして簡単に調整することができる。
【発明の効果】
【００２８】
以上述べたように本発明のオープンシールド機は、函体設置部の上方に架構による函体吊下し設備を設けるオープンシールド機において、オープンシールド機１のピッチング、ローリングに対してジャッキを用いることなく架構の傾き修正を簡単・かつ確実に行うことができるものである。
【発明を実施するための形態】
【００２９】
以下、図面について本発明の実施の形態を詳細に説明する。図１は本発明のオープンシールド機の第１実施形態を示す要部の説明図、図２は同上第２実施形態を示す要部の説明図である。
【００３０】
図３に示すようにオープンシールド機１は函体設置部の上方に架構による函体吊下し設備を設けるもので、架構１７は支柱１５と梁材１６とで構成する。
【００３１】
オープンシールド機１には設置用のフランジ２６を設け、一方、支柱１５の下端には接合用のフランジ２７を設けて、これらフランジ２６とフランジ２７とをボルト２９とナット３０で締結する。
【００３２】
図中２８は間隔調整材である。
【００３３】
オープンシールド機１のピッチング、ローリングが起こると図示のようにテーパー状の隙間が生じる。
【００３４】
本発明は構の支柱１５下端とオープンシールド機１との間、すなわちフランジ２６とフランジ２７とに、先端に向かい暫時薄くなるテーパー板の斜角調整材３１を横から差し込み配置して、この先端に向かい暫時薄くなるテーパー板の斜角調整材３１を介在させた。
【００３５】
図４、図５にこの斜角調整材３１を示すが全体が矩形の板体であり、暫時薄くなるテーパーの向きとは直交する向きに、端部に開口する切欠きスリット３３をボルト挿通孔として形成した。
【００３６】
また、斜角調整材３１は先端薄い方の端縁にずれ止め用の拡径凸部３２を設ける。この拡径凸部３２には極短い鋼棒が利用できる。
【００３７】
図中３４はボルト２９とナット３０にスプリングワッシャー３５とともに介在させる斜角調整ワッシャーであり、前記斜角調整材３１と逆向きのテーパーのものである。
【００３８】
このようにして、フランジ２６とフランジ２７の間に斜角調整材３１を横方から差し入れてボルト２９とナット３０での締結を行う。
【００３９】
斜角調整材３１は図４に示すようにテーパー角の大小により複数あるもので、適宜選択して前記テーパー状の隙間を補完することで、オープンシールド機１が傾いていても支柱１５を直立させることができる。
【００４０】
図１は間隔調整材２８を用いない場合、図２は用いる場合である。
【００４１】
なお、オープンシールド機に設けた設置用のフランジ２６と支柱１５の下端に設けた接合用のフランジ２７とに跨るように勾配調整用のボルト３６を設け、この勾配調整用のボルト３６で支柱１５の傾きを調整できるようにする。
【００４２】
勾配調整用のボルト３６はいわゆるネジジャッキを構成するもので、フランジ２７側に突設する支承板３７に設けたナット３８を貫通し、先端がフランジ２６側に突設する受圧板３９に当接する。
【００４３】
このようにしてナット３８からのボルト３６の突きだし長さを調整することで、フランジ２６とフランジ２７の離間距離（支柱１５の傾き）を調整できる。
【図面の簡単な説明】
【００４４】
【図１】本発明のオープンシールド機の第１実施形態を示す要部の説明図である。
【図２】本発明のオープンシールド機の第２実施形態を示す要部の説明図である。
【図３】オープンシールド機と函体吊下し設備を設ける架構との説明図である。
【図４】斜角調整材の側面図である。
【図５】斜角調整材の平面図である。
【図６】斜角調整ワッシャーの説明図である。
【図７】勾配調整用のボルトを設けたオープンシールド機と函体吊下し設備を設ける架構との説明図である。
【図８】従来例を示す側面図である。
【図９】従来例を示す正面図である。
【図１０】オープンシールド工法の概要を示す第１工程の縦断側面図である。
【図１１】オープンシールド工法の概要を示す第２工程の縦断側面図である。
【図１２】オープンシールド工法の概要を示す第３工程の縦断側面図である。
【図１３】オープンシールド工法の概要を示す第４工程の縦断側面図である。
【符号の説明】
【００４５】
１…オープンシールド機              １ａ…側壁板
１ｂ…底板                          ２…掘削部
３…函体設置部                      ４…隔壁
５…シールドジャッキ                ６…発進坑
７…掘削機                          ８…コンクリート函体
９…反力壁                          １０…ストラット
１１…地盤改良                      １２…トラッククレーン
１３…到達坑                        １４…埋戻し
１５…支柱                          １６…梁材
１７…架構                          １８…巻上機
１９…門型クレーン                  ２０…レール部材
２１…コンクリート函体吊り上げ部
２２…ジャッキ                      ２３…台車
２４…吊り治具                      ２５…吊り上げ部
２６…フランジ                      ２７…フランジ
２８…間隔調整材                    ２９…ボルト
３０…ナット                        ３１…斜角調整材
３２…拡径凸部                      ３３…切欠きスリット
３４…斜角調整ワッシャー            ３５…スプリングワッシャー
３６…勾配調整用のボルト            ３７…支承板
３８…ナット                        ３９…受圧板
【手続補正２】
【補正対象書類名】特許請求の範囲
【補正対象項目名】全文
【補正方法】変更
【補正の内容】
【特許請求の範囲】
【請求項１】
函体設置部の上方に架構による函体吊下し設備を設けるオープンシールド機において、架構を形成する支柱下端はオープンシールド機にボルト止めするが、架構の支柱下端とオープンシールド機との間に先端に向かい暫時薄くなるテーパー板の斜角調整材を介在させたことを特徴とするオープンシールド機。
【請求項２】
斜角調整材は端部に開口する切欠きスリットをボルト挿通孔として形成した請求項１記載のオープンシールド機。
【請求項３】
斜角調整材は先端薄い方の端縁にずれ止め用の拡径凸部を設ける請求項１または請求項２記載のオープンシールド機。
【請求項４】
支柱下端とオープンシールド機をボルト止めするボルト・ナットには斜角調整材と逆向きのテーパーの斜角調整ワッシャーを介在させる請求項１ないし請求項３のいずれかに記載のオープンシールド機。
【請求項５】
オープンシールド機には設置用のフランジを設け、一方、支柱の下端には接合用のフランジを設けて、これらフランジ相互に添わせて勾配調整用のボルトを設けた請求項１ないし請求項３のいずれかに記載のオープンシールド機。